(57)【要約】【課題】簡単な構造でありながら着座者が自然体を維持したままの状態で座が後傾してリクライニングすることのできる椅子を提供する。【解決手段】一端が座１０の第１箇所Ｊ１に回動自在に支持され、他端がベース部４０の第２箇所Ｊ２に回動自在に支持された第１リンク５０と、一端が座１０の第１箇所Ｊ１より後端側の第３箇所Ｊ３に回動自在に支持され、他端がベース部４０の第２箇所Ｊ２より前端側の第４箇所Ｊ４に回動自在に支持された第２リンク６０によって座１０を支持する。背もたれ２０は第３箇所Ｊ３を回転中心として座１０に支持される。また、背もたれの下端の第６箇所Ｊ６に一端が回動自在に支持され、他端がベース部４０の第５箇所Ｊ５に回動自在に支持されたロック機構付きのダンパー７０を設けて、第６箇所Ｊ６を後方へ付勢する。【選択図】図５
2015189263.tif 000002
【特許請求の範囲】
【請求項１】
座と、
ベース部と、
一端が前記座の第１箇所に回動自在に支持され、他端がベース部の第２箇所に回動自在に支持された第１リンクと、
一端が前記座の前記第１箇所より後端側の第３箇所に回動自在に支持され、他端が前記ベース部の前記第２箇所より前端側の第４箇所に回動自在に支持された第２リンクと、
を有する
ことを特徴とする椅子。
【請求項２】
前記座と一体に回転中心が支持されて傾倒可能であって、下端が前記座より下方に延出された背もたれと、
前記背もたれの下端部に一端が回動自在に支持され、他端が前記ベース部に回動自在に支持された、全長が変化可能であって任意の長さに全長を固定可能なシートロックと、
を有する
ことを特徴とする請求項１に記載の椅子。
【請求項３】
前記シートロックは、伸張方向に付勢されたロック機構付きダンパーである
ことを特徴とする請求項２に記載の椅子。
【請求項４】
前記背もたれの前記回転中心は、前記第３箇所に前記第２リンクと同軸に軸支される
ことを特徴とする請求項２または３に記載の椅子。
【請求項５】
前記第１箇所は前記座の後端側に設けられ、
前記第２箇所は、前記座が前後に傾斜していない状態において前記第１箇所の下方より前記座の前端側となるように設けられる
ことを特徴とする請求項１乃至４のいずれか１つに記載の椅子。
【発明の詳細な説明】
【技術分野】
【０００１】
本発明は、座の傾斜を変更可能な椅子に関する。
【背景技術】
【０００２】
リクライニング機構付き椅子では、背もたれの後傾に伴って、座が後傾、あるいは後方に移動しつつ後傾することで、座り心地を向上させたものがある。
【０００３】
座を傾斜させる機構として、たとえば、下記特許文献１には、座の前端側を上下させるための前リンク機構と、座の後端側を上下させるための後リンク機構とを独立に動作可能に設けた椅子が開示されている。
【０００４】
また下記特許文献２に開示の椅子は、一端が座の前端側に他端がその下方の基部にそれぞれ回動自在に接続された第１リンクと、一端が座の後端側に他端がその下方の基部にそれぞれ回動自在に接続された第２リンクとを備え、これらのリンク（座と基部を含めて４節リンクが構成される）で座を後傾可能に支持している。
【先行技術文献】
【特許文献】
【０００５】
【特許文献１】実開平４−３８８３２号公報
【特許文献２】特許第３６４３０１５号
【発明の概要】
【発明が解決しようとする課題】
【０００６】
特許文献１に開示の椅子は構造が複雑で、部品点数が多いので、製品価格が高騰し、またメンテナンスも煩雑になる。
【０００７】
特許文献２に開示の椅子では、第１リンクと第２リンクがほぼ平行に配設されているので、座の傾斜角度を少し変位させる間に、座が前後に大きく移動する。たとえば、列車に配列される座席では、前後の座席の間隔が規制されるので、座を後傾させる際に、座が大きく後ろに移動すると支障がある。また、後方への移動量が大きいと、背もたれの傾斜を変える度に、座り直さなければ姿勢が安定しないので、使い勝手が良くない。
【０００８】
本発明は、上記の問題を解決しようとするものであり、簡単な構造でありながら着座者が自然体を維持したままの状態で座が後傾してリクライニングすることのできる椅子を提供することを目的としている。
【課題を解決するための手段】
【０００９】
かかる目的を達成するための本発明の要旨とするところは、次の各項の発明に存する。
【００１０】
［１］座と、
ベース部と、
一端が前記座の第１箇所に回動自在に支持され、他端がベース部の第２箇所に回動自在に支持された第１リンクと、
一端が前記座の前記第１箇所より後端側の第３箇所に回動自在に支持され、他端が前記ベース部の前記第２箇所より前端側の第４箇所に回動自在に支持された第２リンクと、
を有する
ことを特徴とする椅子。
【００１１】
上記発明では、座は、クロスした第１リンクと第２リンクを介してベース部に支持される。クロスした２本のリンクで座を支持することで、簡単な構造でありながら、座を、前後方向への移動量を抑えつつ大きく傾斜させることができる。
【００１２】
［２］前記座と一体に回転中心が支持されて傾倒可能であって、下端が前記座より下方に延出された背もたれと、
前記背もたれの下端部に一端が回動自在に支持され、他端が前記ベース部に回動自在に支持された、全長が変化可能であって任意の長さに全長を固定可能なシートロックと、
を有する
ことを特徴とする［１］に記載の椅子。
【００１３】
上記発明では、座の傾斜と背もたれの傾斜が連動し、かつ、シートロックの全長を固定することで、座および背もたれの位置が保持される。
【００１４】
［３］前記シートロックは、伸張方向に付勢されたロック機構付きダンパーである
ことを特徴とする［２］に記載の椅子。
【００１５】
上記発明では、ロック機構付きダンパーにより、背もたれは、起こす方向に付勢される。
【００１６】
［４］前記背もたれの前記回転中心は、前記第３箇所に前記第２リンクと同軸に軸支される
ことを特徴とする［２］または［３］に記載の椅子。
【００１７】
上記発明では、第２リンクの上端と別の場所に背もたれの回転中心を設ける場合に比べて、構造が簡略になる。
【００１８】
［５］前記第１箇所は前記座の後端側に設けられ、
前記第２箇所は、前記座が前後に傾斜していない状態において前記第１箇所の下方より前記座の前端側となるように設けられる
ことを特徴とする［１］乃至［４］のいずれか１つに記載の椅子。
【００１９】
上記発明では、着座者の体重を座の前端側に加えることで、座を容易にアップライト姿勢に戻すことができる。
【発明の効果】
【００２０】
本発明に係る椅子によれば、簡単な構造でありながら、着座者が自然体を維持したままの状態でリクライニングすることができて、良好な座り心地を得ることができる。
【図面の簡単な説明】
【００２１】
【図１】本発明の実施の形態に係る椅子を示す斜視図である。
【図２】本発明の実施の形態に係る椅子の概略構造を示す正面図である。および平面を示す図である。
【図３】本発明の実施の形態に係る椅子の概略構造を示す平面図である。
【図４】本発明の実施の形態に係る椅子のアップライト姿勢とリクライニング姿勢を示す側面図である。
【図５】本発明の実施の形態に係る椅子の主要な構造部分を拡大して示す側面図である。
【発明を実施するための形態】
【００２２】
以下、図面に基づき本発明の実施の形態を説明する。
【００２３】
図１は、本発明の実施の形態に係る椅子５を示す斜視図、図２は椅子５の概略構造を示す正面図、図３は椅子５の概略構造を示す平面図、図４はアップライト姿勢およびリクライニング姿勢における椅子５の概略構造を示す側面図、図５は椅子５の主要な構造部分を拡大して示す側面図である。
【００２４】
椅子５は、鉄道車両などに設置されるものであり、図１、図２に示すように同じ椅子５を２台ずつ並置したものを一組として設置され、２台の椅子５の中央を中心にして全体が回動するようになっている。なお、１台ずつ単独で設置されてもよい。
【００２５】
椅子５は、背もたれ２０を起立させたアップライト姿勢（図４（ａ）参照）から背もたれ２０を傾倒させたリクライニング姿勢（図４（ｂ）参照）へ変位する際に、背もたれの変位に連動して、座１０が後方へ移動しながら後傾するように構成されている。椅子５では、背もたれ２０の各傾斜角度における座１０の位置は着座者が自由に変更することはできず、背もたれ２０の各傾斜角度における座１０の位置は一義的に規定される。
【００２６】
椅子５は、着座者の尻が乗せられる座１０と、座１０と一体に回転中心が支持されて傾倒可能な背もたれ２０と、座１０と一体に設けられた左右一対の肘掛３０と、ベース部４０と、ベース部４０に対して座１０を変位可能に支持する第１リンク５０および第２リンク６０と、シートロック７０を備えている。
【００２７】
座１０は、座フレーム１１をクッション材、被覆材等で覆って構成される。座フレーム１１は、座１０の前端側と後端側にそれぞれ座１０の幅方向に長い中空円柱状の支持パイプとこれら前後の支持パイプを左右の端部で連結する連結部材とからなる矩形の枠である。座フレーム１１の矩形の枠の中には前後方向に複数本のバネが掛け渡されている（図３参照）。
【００２８】
背もたれ２０は、角に丸みを持った縦長の長方形の枠とその間を繋ぐ横桟等からなる背フレーム２１を、クッション材、被覆材等で覆って構成される。背もたれ２０の背フレーム２１は、その回転中心が座フレーム１１の左右の後端の第３箇所Ｊ３に回動自在に軸支されている。背フレーム２１は、第３箇所Ｊ３よりさらに下方へ延長されている。
【００２９】
肘掛３０は、背もたれ２０の左右両側から前方へ延出するように、基部が背フレーム２１に固定されている。
【００３０】
ベース部４０は、床３に固定された取り付け板４５と、該取り付け板４５の中央から立設された回転軸４６に支持されて床面と平行に回動可能な角柱部材４１を有する。取り付け板４５は、並置された２台の椅子５の幅の略同等の長さを有し、幅は座１０の前後の長さの略４分の１ほどの略長方形を成した剛板であり、複数本のネジで床３に固定される。
【００３１】
角柱部材４１は、取り付け板４５と同様の幅と長さを備えた断面矩形で中空の剛性を有する部材であり、その中央が回転軸４６に軸支されて床と平行な面内で回動可能にされている。ベース部４０は、角柱部材４１の回動を取り付け板４５と平行な位置でロックする図示省略のロック機構を備えており、椅子５の正面方向を１８０度転換できるようになっている。ベース部４０は、座１０の前後方向の略中央に位置するように設置される。
【００３２】
角柱部材４１の上面には、該角柱部材４１の長手方向に沿って延設された互いに平行な前パイプ４２と後パイプ４３が支持金具４４で固定されている。なお、前パイプ４２、後パイプ４３は、並置された２台の各椅子５に対して個別に設けられている。
【００３３】
第１リンク５０および第２リンク６０は座フレーム１１の左右にそれぞれ設けられる。図５に示すように、第１リンク５０は、一端が座フレーム１１の後端側の第１箇所Ｊ１に、座１０の幅方向を軸方向にして、回動自在に支持され、他端はベース部４０の第２箇所Ｊ２に、座１０の幅方向を軸方向にして、回動自在に支持されている。第２リンク６０は、一端が座フレーム１１の第１箇所Ｊ１より後端側の第３箇所Ｊ３に、座１０の幅方向を軸方向にして、回動自在に支持され、他端はベース部４０の第２箇所Ｊ２より前端側の第４箇所Ｊ４に、座１０の幅方向を軸方向にして、回動自在に支持されている。第２リンク６０は第１リンク５０より長い。
【００３４】
上記のようにして、第１リンク５０と第２リンク６０は、互いがクロスするように取り付けられている。
【００３５】
より詳細には、第２リンク６０の上端は、背フレーム２１の回転中心と共に、座フレーム１１後端の第３箇所Ｊ３に回動自在に軸支される。第３箇所Ｊ３は、座フレーム１１の後ろ側の支持パイプの端部に位置する。すなわち、第２リンク６０の上端と背フレーム２１の回転中心は、座フレーム１１の後ろ側の支持パイプの端部に同軸にして軸支されている。第２リンク６０の下端はベース部４０の前パイプ４２の端部（第４箇所Ｊ４）に軸支されている。
【００３６】
第１リンク５０の上端が座フレーム１１に軸支された位置である第１箇所Ｊ１は、後パイプ４３と前パイプ４２の間隔よりやや短い距離だけ第３箇所Ｊ３より前方に位置している。第１リンク５０の下端は、ベース部４０の後パイプ４３の端部（第２箇所Ｊ２）に軸支されている。
【００３７】
シートロック７０は、全長が変化可能であって任意の長さに全長を固定する機能を有し、伸張方向に付勢されたロック機能付きのダンパーである。
【００３８】
シートロック７０は、シリンダ７１と、該シリンダ７１内で移動するピストンと、このピストンから延設され、シリンダ７１から進出した状態とシリンダ７１に収納された状態とに進退するピストンロッド７２を備えて構成される。ピストンロッド７２はシリンダ７１から進出する方向に付勢されている。シートロック７０は、任意の進出位置でピストンロッド７２をロックする機能を備えている。シートロック７０には、ロック機構付きのガススプリングなどが使用される。
【００３９】
シートロック７０の一端（この例ではピストンロッド７２の先端）は、ベース部４０の第５箇所Ｊ５に、座１０の幅方向を軸方向にして回動自在に軸支され、他端（この例では、シリンダ７１の終端（ピストンロッド７２の出入口と反対側の端部））は背フレーム２１の下端の第６箇所Ｊ６に、座１０の幅方向を軸方向にして回動自在に軸支されている。
【００４０】
シートロック７０は、長手方向を椅子５の前後方向にして、座１０の下方であって座１０の幅方向の中心の位置に取り付けられている。ベース部４０の角柱部材４１の上面には三角形のシートロック取り付け板４７が立設されており、このシートロック取り付け板４７の上部の第５箇所Ｊ５に、ピストンロッド７２の先端が軸支されている。第５箇所Ｊ５は前パイプ４２よりやや上方の位置になっている。
【００４１】
なお、肘掛３０にはシートロック７０を、全長が固定されたロック状態にするかロックを解除するかを操作するための図示省略の操作ボタンが設けてある。
【００４２】
次に、上記構成の椅子５の動きを説明する。
【００４３】
シートロック７０のロックが解除されると、座１０や背もたれ２０は図４（ａ）に示すアップライト姿勢と同図（ｂ）に示すリクライニング姿勢の間で変位可能となる。
【００４４】
アップライト姿勢からリクライニング姿勢に変位させる場合、着座者は体重を座１０の後端側および背フレーム２１にかける。このとき、座フレーム１１の後端の第３箇所Ｊ３は、第２リンク６０によって移動の軌跡が規制され、ベース部４０の第４箇所Ｊ４を回転中心とし第２リンク６０を半径とする円周上を移動する。一方、第３箇所Ｊ３よりやや前方の座１０の第１箇所Ｊ１は、第１リンク５０によって移動の軌跡が規制され、ベース部４０の第２箇所Ｊ２を回転中心とし第１リンク５０を半径とする円周上を移動する。
【００４５】
その結果、図４に示すように、座１０は全体的にやや後ろに移動すると共に、座１０の後端の第３箇所Ｊ３は少し下降し、第３箇所Ｊ３より前側の第１箇所Ｊ１箇所は第３箇所Ｊ３よりもやや少なく下降する。第３箇所Ｊ３と第１箇所Ｊ１の下降量の違いにより、座１０の前端側が持ち上げられ、座１０が後傾する。
【００４６】
また、アップライト姿勢からリクライニング姿勢に変位させる際に着座者が背もたれ２０にもたれかかるので、背もたれ２０が後傾する。すなわち、着座者が背もたれ２０にもたれかかると、第３箇所Ｊ３を回転中心として背もたれ２０が後傾し、背フレーム２１の下端が前方へ移動してシートロック７０が縮められる。
【００４７】
リクライニング姿勢からアップライト姿勢に戻すときには、着座者は座１０の前端側に体重をかける。このとき、座フレーム１１が、座１０の前端を力点、第２箇所Ｊ２を支点、第３箇所Ｊ３を作用点とする「てこ」のように作用し、容易に座１０をアップライト姿勢に戻すことができる。
【００４８】
また、着座者が座１０の前端側に体重を掛けて、背もたれ２０にもたれなくなると、背もたれ２０は下端がシートロック７０に付勢されて起立した姿勢に戻ろうとする。また、シートロック７０が背フレーム２１の下端を後方へ押すと、その力は、背フレーム２１を通じて、第３箇所Ｊ３を上方へ、すなわち、アップライト姿勢の位置に戻すように作用する。したがって、リクライニング姿勢からアップライト姿勢に戻す動作がシートロック７０の力によって補助される。そのため、着座者は容易に座１０や背もたれ２０をリクライニング姿勢からアップライト姿勢に戻すことができる。
【００４９】
シートロック７０をロック状態にしてシートロック７０の全長を固定すると、座１０および背もたれ２０の位置が固定される。すなわち、第３箇所Ｊ３から第６箇所Ｊ６までの背フレーム２１、シートロック７０、第２リンク６０、第４箇所Ｊ４から第５箇所Ｊ５までのシートロック取り付け板４７によって４節リンクが形成されており、シートロック７０をロックすると、この４節リンクのすべてのリンクの長さが固定され、かつ、第４箇所Ｊ４と第５箇所Ｊ５が固定端なので、該４節リンクは一定の形状を保持して変化しなくなる。その結果、第３箇所Ｊ３、第６箇所Ｊ６の位置が固定され、結果的に座１０や背もたれ２０の位置が固定される。
【００５０】
このように本実施の形態に係る椅子５は、クロスした第１リンク５０と第２リンク６０で座フレーム１１の後端部を支持するので、アップライト姿勢からリクライニング姿勢に変えるときに、座１０の後方への移動量を少なく抑えながら、座１０を大きく後傾させることができる。
【００５１】
また、座１０を変位可能に支持するための部材が第１リンク５０と第２リンク６０のみで済むので、構造が簡略化される。また、背もたれ２０の下端部とベース部４０との間に掛け渡されたシートロック７０の全長をロックするだけで座１０および背もたれ２０の位置を固定できるので、固定のための機構も簡素にすることができる。簡素な構造により、メンテナンスも容易になる。また、重量も軽減される。
【００５２】
さらに、シートロック７０が背もたれ２０を起立する方向に付勢するので、着座者に負担をかけることなく、背もたれ２０をリクライニング姿勢からアップライト姿勢に戻すことができる。また、シートロック７０の力を、座１０をアップライト姿勢に戻すためにも利用するので、リクライニング姿勢からアップライト姿勢に戻すために必要な着座者の力を少なく抑えることができ、良好な操作性が提供される。
【００５３】
また、第１リンク５０と第２リンク６０で座１０を支持するので、足元スペースを広く確保することができる。すなわち、座１０の前後方向の略中央の下方のベース部４０から上斜め後方にクロスして延びる第１リンク５０と第２リンク６０によって座１０を支持するので、座１０の前後方向の略中央の下方にのみベース部４０を設ければ良く、ベース部４０が小型化されて足元スペースを広く確保することができる。
【００５４】
また、背もたれ２０の傾斜と座１０の傾斜が連動するので、どの姿勢においても良好な座り心地が提供される。また、背もたれ２０と共に肘掛３０の角度が変わるので、リクライニングさせたときに、肘掛３０が着座者から遠くになって使い難くなるといったことがない。
【００５５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５６】
実施の形態では、ベース部４０から上斜め後方に延びた第１リンク５０および第２リンク６０によって座１０の後端を支持したが、第１リンク５０と第２リンク６０をベース部４０から上斜め前方へ延設し、座１０の前端部を第１リンク５０および第２リンク６０で支持する構成でもよい。この構成においても、着座者が座１０の後端側に体重をかけると容易にリクライニングする。しかし、着座者が座１０の前端部に体重を掛けても、前述した「てこ」の作用が働かないため、アップライト姿勢に戻すことは難しくなる。そのため、リクライニング姿勢からアップライト姿勢への復帰を補助するための動力機構を設けることが望ましい。
【００５７】
さらには、第１リンク５０、第２リンク６０で座１０を支持する箇所は、座１０の中央付近であってもよい。また、ベース部４０を座１０の前後方向の中央下方に設けたが、これに限定されず、ベース部４０を中央より前側に設けても、後ろ側に設けてもかまわない。
【００５８】
実施の形態では、シートロック７０に伸長方向に付勢する機能とロック機能の双方を持たせたが、付勢力を与えるガススプリング等と、ロック機構とを別途に設けてもよい。
【００５９】
また、実施の形態では、座１０に対する背もたれ２０の角度が変化するようにしたが、座１０に対する背もたれ２０の角度を一定に保持する構成でもよい。すなわち、座１０に対して一定の角度となるように背もたれ２０を座１０と一体に構成し、この座１０を第１リンク５０と第２リンク６０で変位可能に支持するような構成の椅子についても本発明は適用される。
【００６０】
実施の形態では、第２リンク６０の上端と背もたれ２０の回動中心を第３箇所Ｊ３において同軸に軸支した。これにより構造は簡略化される。しかし、第３箇所Ｊ３と別の箇所に背もたれ２０の回転中心を設けてもかまわない。
【００６１】
実施の形態で示したベース部４０等の構造は一例であり、これに限定されるものではない。また、ベース部４０に回転台としての機能は無くてもよい。また、椅子５を一脚ずつ個別に設けてもよい。
【符号の説明】
【００６２】
３…床
５…椅子
１０…座
１１…座フレーム
２０…背もたれ
２１…背フレーム
３０…肘掛
４０…ベース部
４１…角柱部材
４２…前パイプ
４３…後パイプ
４４…支持金具
４５…取り付け板
４６…回転軸
４７…シートロック取り付け板
５０…第１リンク
６０…第２リンク
７０…シートロック
７１…シリンダ
７２…ピストンロッド
Ｊ１…第１箇所
Ｊ２…第２箇所
Ｊ３…第３箇所
Ｊ４…第４箇所
Ｊ５…第５箇所
Ｊ６…第６箇所
【図１】
2015189263.tif 000003
【図２】
2015189263.tif 000004
【図３】
2015189263.tif 000005
【図４】
2015189263.tif 000006
【図５】
2015189263.tif 000007